(57)【要約】【課題】電気掃除機をかけた後やハタキ掛けの後、舞い上がるハウスダスト等のごく小さな塵の効果的除去に役立つ電気掃除機用スタンドを提供する。【解決手段】一対の挟み部材2の先端寄りに設けた支点部3よりも先端側に挟持部4を配する一方、基端側に挟持部4の縦長よりも長い縦長の脚部5を配し、且つ両脚部5の開閉により挟持部4を開閉自在として、電気掃除機の吸引側パイプ93を挟む挟持部4が閉じる方向に弾性付勢部6で付勢される挟み機具本体1と、脚部5の基端面53を覆って脚部5に固着される軟質発泡体からなる滑り止め部材7と、を具備し、吸込み口930を上向きにしたパイプ93が挟持部4に挟まれ、下降傾斜して接地する該パイプ93又はその根元で掃除機本体91につながる接続部92と、滑り止め部材7が接地する両脚部5とで、吸込み口930の上向きを保持する。【選択図】図１
2018117735.tif 000002
【特許請求の範囲】
【請求項１】
一対の挟み部材(2)の先端寄りに設けた支点部(3)よりも先端側に挟持部(4)を配する一方、基端側に該挟持部(4)の縦長よりも長い縦長の脚部(5)を配し、且つ該両脚部(5)の開閉により挟持部(4)を開閉自在として、電気掃除機の吸引側パイプ(93)を挟む該挟持部(4)が閉じる方向に弾性付勢部(6)で付勢される挟み機具本体(1)と、前記脚部(5)の基端面(53)を覆って該脚部(5)に固着される軟質発泡体からなる滑り止め部材(7)と、を具備し、
吸込み口(930)を上向きにした前記パイプ(93)が前記挟持部(4)に挟まれ、下降傾斜して接地する該パイプ(93)又はその根元で掃除機本体(91)につながる接続部(92)と、前記滑り止め部材(7)が接地する前記両脚部(5)とで、該吸込み口(930)の上向きを保持することを特徴とする電気掃除機用スタンド。
【請求項２】
前記両脚部(5)の少なくとも基端部分(5a)が帯板部分(5B)で構成され、且つ両脚部(5)を閉じた時に両帯板部分(5B)の帯板面(51)が対向するように配され、さらに前記滑り止め部材(7)が、前記脚部に係る基端面(53)の全面を含め、該基端面(53)から延在する帯板部分(5B)の板厚面(52)を覆って、該帯板部分(5B)に固着される請求項１記載の電気掃除機用スタンド。
【請求項３】
前記脚部(5)の基端面(53)に窪み(55)又は突起(56)が設けられた請求項１又は２に記載の電気掃除機用スタンド。
【請求項４】
前記帯板部分(5B)の基端縁(511)を、帯幅方向の中央が外方に張り出す弧状形状とした請求項２記載の電気掃除機用スタンド。
【請求項５】
前記パイプ(93)を挟む前記両挟持部(4)の内周縁(41)に軟質発泡体からなる当て部材(8)が固着された請求項１乃至４のいずれか１項に記載の電気掃除機用スタンド。
【発明の詳細な説明】
【技術分野】
【０００１】
本発明は、部屋に舞い上がった塵を吸込めるよう、電気掃除機の吸込み口を上向きに保持する電気掃除機用スタンドに関する。
【背景技術】
【０００２】
電気掃除機(家庭用クリーナー)を使って室内の畳や床等の掃除を行う場合、従来、ハウスダスト等のごく小さな塵は舞い上がり、時間が経つと場所が変わっただけで再び畳や床に舞い降りていた。電気掃除機の排気口からの排気流によっても軽い塵が舞い上がっている。また、天井に在る照明器具や棚の上に在る塵埃をハタキで掃除する際、その塵が部屋中に浮遊しながらゆっくりと舞い落ちことが多く、電気掃除機を使っても効率的作業ができない問題がある。こうしたことから、斯かる問題を解消する電気掃除機用吸込ノズルなる発明が提案されている（例えば特許文献１）。
【先行技術文献】
【特許文献】
【０００３】
【特許文献１】特開２０１４−１８８１３３公報
【発明の開示】
【発明が解決しようとする課題】
【０００４】
しかるに、特許文献１は、その段落００２０に「ハタキ掛けにより、掃除箇所に付着していた塵埃は落下する。落下した塵埃は漏斗部３２で直ちに吸引され」とあるが、ハタキ掛けで、漏斗部が捕えきれずに部屋に広く舞い散った塵を吸込ませるのは難しい。また、電気掃除機を使って室内の畳や床等の掃除を行う場合、掃除機からの排気流によって舞い上がるハウスダスト等のごく小さな塵にも効率的な対応が難しい。
【０００５】
本発明は、上記問題を解決するもので、電気掃除機をかけた後やハタキ掛けの後、舞い上がるハウスダスト等のごく小さな塵の効果的除去に役立つ電気掃除機用スタンドを提供することを目的とする。
【課題を解決するための手段】
【０００６】
上記目的を達成すべく、請求項１に記載の発明の要旨は、一対の挟み部材(2)の先端寄りに設けた支点部(3)よりも先端側に挟持部(4)を配する一方、基端側に該挟持部(4)の縦長よりも長い縦長の脚部(5)を配し、且つ該両脚部(5)の開閉により挟持部(4)を開閉自在として、電気掃除機の吸引側パイプ(93)を挟む該挟持部(4)が閉じる方向に弾性付勢部(6)で付勢される挟み機具本体(1)と、前記脚部(5)の基端面(53)を覆って該脚部(5)に固着される軟質発泡体からなる滑り止め部材(7)と、を具備し、吸込み口(930)を上向きにした前記パイプ(93)が前記挟持部(4)に挟まれ、下降傾斜して接地する該パイプ(93)又はその根元で掃除機本体(91)につながる接続部(92)と、前記滑り止め部材(7)が接地する前記両脚部(5)とで、該吸込み口(930)の上向きを保持することを特徴とする電気掃除機用スタンドにある。
請求項２の発明たる電気掃除機用スタンドは、請求項１で、両脚部(5)の少なくとも基端部分(5a)が帯板部分(5B)で構成され、且つ両脚部(5)を閉じた時に両帯板部分(5B)の帯板面(51)が対向するように配され、さらに前記滑り止め部材(7)が、前記脚部に係る基端面(53)の全面を含め、該基端面(53)から延在する帯板部分(5B)の板厚面(52)を覆って、該帯板部分(5B)に固着されることを特徴とする。請求項３の発明たる電気掃除機用スタンドは、請求項１又は２で、脚部(5)の基端面(53)に窪み(55)又は突起(56)が設けられたことを特徴とする。請求項４の発明たる電気掃除機用スタンドは、請求項２で、帯板部分(5B)の基端縁(511)を、帯幅方向の中央が外方に張り出す弧状形状としたことを特徴とする。請求項５の発明たる電気掃除機用スタンドは、請求項１〜４で、パイプ(93)を挟む前記両挟持部(4)の内周縁(41)に軟質発泡体からなる当て部材(8)が固着されたことを特徴とする。
【発明の効果】
【０００７】
本発明の電気掃除機用スタンドは、床ブラシを外した電気掃除機の吸引側パイプに係る吸込み口を容易に上向き保持できるので、電気掃除機をかけた後やハタキ掛けの後、舞い上がるハウスダスト等のごく小さな塵を、床面に落ちる前に該吸込み口へ吸い込ませることにより、部屋内に漂って時間をかけて床面に舞い戻っていた塵の除去に優れた効果を発揮する。
【図面の簡単な説明】
【０００８】
【図１】本発明の電気掃除機用スタンドの一形態で、その全体斜視図である。
【図２】図１の要部斜視図である。
【図３】挟持部を開いたスタンドの部分正面図である。
【図４】スタンドの一使用法を示した斜視図である。
【図５】滑り止め部材が取付けられた脚部の基端部分の説明図である。
【図６】滑り止め部材が取付けられた脚部の基端部分の説明図である。
【図７】ハタキ掛けでのスタンドの一使用法を示した説明図である。
【図８】図６の部分拡大図である。
【図９】図８に代わる他態様の滑り止め部材が取付けられた脚部の基端部分周りの斜視図である。
【図１０】図１に代わる他態様のスタンドの斜視図である。
【発明を実施するための形態】
【０００９】
以下、本発明に係る電気掃除機用スタンド（以下、単に「スタンド」ともいう。）について詳述する。
図１〜図１０は本発明の電気掃除機用スタンドの一形態で、図１はその全体斜視図、図２は図１の要部斜視図、図３は挟持部を開いたスタンドの部分正面図、図４はスタンドの一使用法を示した斜視図、図５,図６は滑り止め部材が取付けられた脚部の基端部分の説明図、図７はハタキ掛けでのスタンドの一使用法を示した説明図、図８は図６の部分拡大図、図９は図８に代わる他態様の滑り止め部材が取付けられた脚部の基端部分周りの斜視図、図１０は図１に代わる他態様のスタンドの斜視図を示す。尚、図面を判り易くするため、図５,図６で脚部の断面を示すハッチング表示を省く。
【００１０】
電気掃除機用スタンドＰは、挟み機具本体１と、滑り止め部材７と当て部材８とを具備する。挟み機具本体１は本発明の主要部分で、支点部３と挟持部４と脚部５とからなる挟み部材２と、弾性付勢部６とを備える。
【００１１】
挟み部材２は一対構成され、一対の挟み部材２の先端寄りに設けた支点部３よりも先端側に挟持部４が配される一方、基端側に該挟持部４の縦長よりも長い縦長の脚部５が配される。図１でいうと、挟持部４の縦長は支点部３から該挟持部の紙面左方先端までの長さとし、脚部５の長さは支点部３から紙面右方先端までの長さとする。支点部３を中心にして、一対の挟み部材２が回動自在に取付けられ、両脚部５の開閉により挟持部４を開閉自在にする。一対の挟み部材２には、脚部５と挟持部４との境界部でそれぞれ小さな鍔が張り出し、両鍔部に支点用支軸を挿着させた支点部３がヒンジのような働きをし、棒状脚部５による開閉の動きに対し挟持部４を開閉させるようになっている。脚部５の開閉の開は図１の状態で、閉は図３ごとくの状態になる。
【００１２】
弾性付勢部６は、電気掃除機９の吸引側パイプ９３を挟む該挟持部４が閉じる方向に弾性付勢する部材である。ここでの弾性付勢部６は金属製円形リングの一部を切断カットしたカットリングとする。図２のごとく両脚部５に設けた細長孔５０を通してカットリング６の一方のリング端を一方の挟持部４の外壁面に当て、他方のリング端を他方の挟持部４の外壁面に当てて、円形リングが元に戻ろうとする弾性復元力で、挟持部４が閉じる方向に弾性付勢している。カットリング６がズレないよう、そのリング端は挟持部４の外壁面に隆起させた有底筒状ボス穴に挿着する。常態では、弾性付勢部６によって図１,図２のごとく両挟持部４が閉じているが、弾性付勢部６に抗して両脚部５を図３の矢印のごとく寄せるように手で握る(閉じる)と、一対の挟持部４が同図矢印のごとく開く。挟持部４が開いた状態で掃除機のパイプ９３を挟んだ後、手を緩めれば(開けば)、挟持部４が閉じる方向に働いて図３のごとくパイプ９３を挟持できる。
【００１３】
本実施形態の挟み部材２は、先端側に図示ごとくの湾曲状挟持部４を設ける一方、基端側に挟持部４の縦長よりも断然長い縦長の脚部５を簡便に設けることができるよう、脚部５を脚上部５Ａと脚下部とをつなぎ合わせる二分割構成とする。挟み機具本体１の脚部５から脚下部を外した脚上部５Ａと挟持部４と支点部３とからなる挟み部材２と、カットリングの弾性付勢部６とを備えたものは、図示ごとくの大型バサミとする。挟持部４で電気掃除機９の吸引側パイプ９３を挟むことのできる大型バサミになっている。
本発明のスタンドＰは掃除機の塵ＤＴを吸込み易くするためパイプ吸込み口９３０を上向きにさせる必要性があり、脚部５はその縦長が挟持部４に比べ長く設定しなければならない。そこで、大型バサミを構成する脚部５の脚上部５Ａに脚下部たる長尺部分が、該脚上部５Ａからそのまま延在するよう、小型ボルト,ナット又はビス等からなる止具５７で、脚上部５Ａに脚下部の帯板が接続固定される。そして、両脚部５の少なくとも基端部分５ａが、帯板部分５Ｂで構成され、且つ両脚部５を閉じた時に両帯板部分５Ｂの帯板面５１が対向するよう配設される(図３)。ここでは脚下部を全て帯板で形成する。
【００１４】
滑り止め部材７は、滑り止め機能を有して、脚部５の基端面５３を覆って脚部５に固着される軟質発泡体からなる部材である。本発明でいう軟質発泡体とは、発泡体内の気泡がつながっている開放状態の気泡を有する合成樹脂製又はゴム製の発泡体を指す。開放状態の気泡を有しており、圧縮に対して軟らかく且つ復元性を備える。合成樹脂には熱可塑性エラストマーを含む。ここでの滑り止め部材７は軟質ウレタンフォームを用いる。
本実施形態の滑り止め部材７は、前記脚部５に係る基端面５３の全面を含め、該基端面５３から延在する帯板部分５Ｂの該基端面５３傍の板厚面５２を覆って該帯板部分５Ｂに固着される。ここで、接地面ＧＬ側の表面に、小さなプロファイル加工が施された滑り止め部材７が用いられると、該プロファイル加工による凹凸波形によって滑り止め効果が高まりより好ましくなる。
【００１５】
前記基端面５３に関しては、図５(ロ)のごとく脚部５に係る帯板部分５Ｂの帯幅方向が平坦でもよいが、基端面５３に、帯板部分５Ｂの帯幅方向に図５(イ)ごとくの窪み５５が設けられるか、図５(ハ),(ニ)ごとくの突起５６が設けられるとより好ましくなる。使用状態下のスタンドＰで、突起５６のある基端面５３は、その突起５６下の滑り止め部材７の部分に発泡体の圧縮状態を集中させて滑り止め効果を高め、また窪み５５のある基端面５３では、図５(イ)でいうと、窪んでいない左右両端に滑り止め部材７に係る発泡体の圧縮状態を集中させて滑り止め効果を高めるからである。
【００１６】
また脚部５は、図６のごとく帯板部分５Ｂの基端縁５１１を、帯幅方向の中央が外方に張り出す弧状形状に設けられるのがより好ましい。脚部５を含めてスタンドＰは、通常、図４,図７のごとく傾倒させて使用状態に置かれるので、任意の傾倒角度の広い範囲で使用可能になるからである。
例えば、両脚部５を閉じた時に両帯板部分５Ｂの帯板面５１が対向するように配されるスタンドＰにあって、吸込み口９３０の上向きを保持する際、帯板部分５Ｂが起立状態(ケースとして極めて少ない)になる時は、図８(イ)のごとく滑り止め部材７の圧縮部分７１が帯板部分５Ｂの最も張り出す帯幅方向中央に集中して、該圧縮部分７１が接地面ＧＬに密着してスタンドＰが滑るのを防止する。滑り止め部材７が軟質発泡体からなるため、パイプ９３を挟んだスタンドＰがセットされると、該スタンドＰが有する自重だけでも滑り止め部材７が容易に圧縮変形対応して接地面ＧＬに密着する。接地面ＧＬ側に当たる滑り止め部材７の表面側は半割り状態になった気泡が多く露出しており、各半割り気泡が吸盤の盤面のごとく接地面ＧＬに密着して滑り止め機能を発揮する。帯板部分５Ｂが図８(ロ)のごとく傾倒して、吸込み口９３０の上向きを保持する時は、図８(ロ)ごとくの姿態で圧縮部分７１が接地面に密着する。帯板部分５Ｂの基端縁５１１を、帯幅方向の中央が外方に張り出す弧状形状にしているので、脚部５がどの角度で傾斜しても、図８(イ)と同様の滑り止め部材７による圧縮部分７１を形成して接地面に密着し、スタンドＰが滑るのを効果的に防止できる。
【００１７】
また、図６(ロ)や図９(イ),(ロ)のごとく帯板部分５Ｂに係る帯板面５１の基端縁５１１を、帯幅方向の中央が外方に張り出す弧状形状とし、さらに突起５６が帯板部分５Ｂに係る板厚方向の中央部位に設けられると、板厚方向の中央部位に圧縮部分７１を集中でき、滑り止め部材７によるスタンドＰの接地面への密着強化を一層図ることができ、より好ましくなる。符号５４は帯板部分５Ｂの段差面、符号７４は滑り止め部材７の板厚面５２との接着固定部を示す。
さらにいえば、両帯板面５１から滑り止め部材７が、図９(ハ)のごとく両外方へ出っ張る出っ張り部分７５が設けられると、床面ＧＬ等の接地面と接する滑り止め部材７の面積が増えて、スタンドＰの滑りを抑えるのでより好ましくなる。滑り止め部材７を構成する軟質発泡体は、床面ＧＬへの追従性が良く、面積が増えればそれ分、滑り止めに優れた効果が期待できる。
【００１８】
当て部材８は、挟持部４の厚み幅に合わせ、相手側挟持部４との対向面に肉盛る高さをほぼ一定にして、正面視が図３ごとくの縦長ブロック状体である。パイプ９３を挟む両挟持部４の内周縁４１の略全域に固着される軟質発泡体からなる当て部材８とする。当て部材８の軟質発泡体も、柔軟性に富む滑り止め材と同様、発泡体内の気泡がつながっている開放状態の気泡を有する合成樹脂製又はゴム製の発泡体を指す。
【００１９】
そして、前記挟み機具本体１,滑り止め部材７,当て部材８を具備したスタンドＰで、吸込み口９３０を上向きにした前記パイプ９３が挟持部４に挟まれ、下降傾斜して接地する該パイプ９３又はその根元で掃除機本体９１につながる接続部９２と、滑り止め部材７が接地する両脚部５とで、該吸込み口９３０の上向きを保持するスタンドＰになっている。
例えば図４のように電気掃除機９から床ブラシ９９が外される。そして、電気掃除機９の吸込み口９３０を上向きにしたパイプ９３を挟持部４で挟んだスタンドＰの二本の脚部５と、挟持部４で挟まれたパイプ部分から下降傾斜して接地するパイプ９３又は接続部９２との三点支えで、吸込み口９３０を上向き保持するスタンドＰとする。根元で掃除機本体９１につながる接続部９２はパイプ９３と掃除機本体９１をつなぐ部分で、連結部分９２１とホース９２２とを備える。尚、本連結部分９２１には電気掃除機９の手元スイッチ(図示せず)が設けられている。図４のパイプ９３は、掃除機本体９１が第一パイプ９３１と伸長可能にする第二パイプ９３を備え、同図では第二パイプ９３２を伸ばした状態にして、第二の口を吸込み口９３０とする。本発明の吸込み口９３０は第二パイプ９３２を外して第一パイプ９３１の口を吸込み口９３０とし、図７のように第一パイプ９３１を挟持部４で挟んだスタンドＰを構成する二本の脚部５と、挟持部４に挟まれた第一パイプ部分が下降傾斜して接地する第一パイプ９３１又はその根元で掃除機本体９１につながる接続部９２との三点支えで、吸込み口９３０を上向きに保持するスタンドＰであってもよい。
【００２０】
次に、本スタンドＰの一使用方法について説明する。電気掃除機９で床掃除やハタキＳＨでハタキ掛けを行った後は、しばらくの間、図７のように塵ＤＴが空気中に浮遊している。
床ブラシ９９を取り外した電気掃除機９の吸引側パイプ９３に挟持部４で挟んで、パイプ９３の吸込み口９３０が上向きになるようにスタンドＰをセットする。具体的には、吸込み口９３０から下降傾斜して接地するパイプ９３(又は接続部９２)と、パイプ９３を掴んだ挟持部４側へスタンドＰが上昇傾斜するようにして、滑り止め部材７が接地する両脚部５と、で吸込み口９３０を上向き状態に維持する。後は、部屋の上方に在る照明器具や棚の上などの塵ＤＴや埃を、ハタキＳＨでハタキ掛けをすると共に、プラグＰＧをコンセントＷＳに差し込み、電気掃除機９の電源を入れるのみである。部屋に浮遊する塵ＤＴが、上向き状態にした吸込み口９３０へ効果的に吸い寄せられて、掃除機本体９１に吸い込まれていく。部屋に差し込む朝日の光線等があると、塵ＤＴが床に落ちる前に吸込み口９３０へ効率良く吸い込まれていく様子を視認できる。
図７はハタキ掛けの場合を示したが、例えば図４のようにスタンドをセットして、床ブラシ９９を取付けた電気掃除機９で部屋の掃除を行った後の部屋に浮遊する塵ＤＴを吸い込まることもできる。部屋の掃除後、床ブラシ９９を外して、パイプ９３の吸込み口９３０が上向きになるようにスタンドＰを配設維持させる。後は、プラグＰＧをコンセントＷＳに差し込んで、電気掃除機９の電源を入れるのみである。
【００２１】
図１０は図１に代わる他態様の電気掃除機用スタンドＰである。脚上部５Ａに別体の脚下部を止具５７で接続していた図１の脚部５が、図示のごとく一体の合成樹脂製脚部５になっている。脚部５が長い分、挟み部材２の成形機が大型化するが、止具５７による脚上部５Ａと脚下部との接続の手間を省くことができる。他の構成は図１〜図９と同様で、その説明を省略する。図１０で、図１〜図９と同一符号は同一又は相当部分を示す。
【００２２】
このように構成した電気掃除機用スタンドＰは、挟み機具本体１と滑り止め部材７とを具備し、吸込み口９３０を上向きにしたパイプ９３が挟持部４に挟まれ、下降傾斜して接地するパイプ９３又は接続部９２と、滑り止め部材７が接地する両脚部５とで、該吸込み口９３０の上向きを簡便に保持できる。したがって、電気掃除機９のスイッチを入れれば、部屋内で浮遊する塵ＤＴを、床に落ちる前に吸込み口９３０から素早く吸い込んで電気掃除機９の収納フィルタ等に捕集できる。従来、掃除が終わっても部屋内で宙に舞って浮遊する塵ＤＴは、長い時間をかけて床に落ちてしまうことが多く、除去が難しかったが、本発明のスタンドＰがあれば、吸込み口９３０を上向きに保持できるので、部屋の掃除した後や棚の上などをハタキ掛けした後、部屋の宙に浮遊する塵ＤＴを、床面に落ちる前に掃除機へ吸込ませて除去できる。
本スタンドＰによって、吸込み口９３０を上向き保持させた状態が保たれるので、ハタキ掛け作業等を終えたら、作業者は塵が舞う部屋でなく別の部屋で待機できる。吸込み口９３０から塵ＤＴの吸込みを終える時間を待って、電気掃除機の電源を切ればよい。
【００２３】
両脚部５の少なくとも基端部分５ａが帯板部分５Ｂで構成され、且つ両脚部５を閉じた時に両帯板部分５Ｂの帯板面５１が対向するように配されると、脚部５の開閉操作性が向上する。スタンドＰを図７のように傾倒維持させて使用する際の使い勝手も良くなる。また滑り止め部材７が、脚部５の基端面５３を覆って該脚部５に固着される軟質発泡体からなると、滑り止め効果が高まる。挟持部４で挟んだ吸込み口９３０を上向きにして、金属製やソリッドの合成樹脂製脚部５が床や畳に直かに接すると、パイプ９３又は接続部９２と両脚部５とで支えようとしても滑りやすい。一方、本発明のスタンドＰは、脚部５に固着される滑り止め部材７に係る軟質発泡体の存在で、床面ＧＬとの摩擦抵抗が増し、容易く吸込み口９３０を上向きに保持できる。脚部５が滑らずにピタッと止まる。滑り止め部材７が、脚部５に係る基端面５３の全面を含め、該基端面５３から延在する帯板部分５Ｂの少なくとも該基端面５３傍の板厚面５２を覆うと、脚部５への滑り止め部材７の一体強化が図られる。
【００２４】
本発明のスタンドＰは、パイプ９３又は接続部９２にサポートさせ、二本の脚部５を傾き状態で起立させて吸込み口９３０を上向きに保持させるので、ともすれば不安定になり維持困難になり易い。しかるに、スタンドＰを図７のように使用状態下にセットするが、図５(イ)のように、脚部５の基端面５３に、帯板部分５Ｂの帯幅方向に窪み５５が設けられると、滑り止め部材７は窪み５５以外に圧縮部分７１が集中し、その圧縮部分７１が床面ＧＬ等との密着強化を図って、スタンドＰを容易に起立保持できる。また、図５(ハ),(ニ)のごとく、脚部５の基端面５３に、帯板部分５Ｂの帯幅方向に突起５６が設けられると、滑り止め部材７は突起５６の真下域に圧縮部分７１が集中し、その圧縮部分７１が床面ＧＬ等との密着強化を図って、スタンドＰを容易に起立保持できる。
さらに、帯板部分５Ｂの基端縁５１１を、帯幅方向の中央が外方に張り出す弧状形状とすると、脚部５の傾倒角度が変わっても、弧状形状の下の滑り止め部材７は同じ様な状況に置かれるので、安定した滑り止め効果を発揮できる。突起５６が該帯板部分５Ｂに係る板厚方向の中央部位に設けられると、スタンドＰの起立使用下で、滑り止め部材７の圧縮部分７１を帯板部分５Ｂに係る板厚方向の中央部位に集中でき、その圧縮部分７１が床面ＧＬ等との密着強化を図って、スタンドＰを一層容易に起立保持できる。
【００２５】
加えて、パイプ９３を挟む両挟持部４の内周縁４１に軟質発泡体からなる当て部材８が固着されると、吸込み口９３０を上向きにしたパイプ９３の姿態にさせても、当て部材８が変形対応することによって、挟持部４が該パイプ９３を図４,図７のごとく上向きにしたまま安定して挟んで保持できる。
【００２６】
尚、本発明においては前記実施形態に示すものに限られず、目的,用途に応じて本発明の範囲で種々変更できる。挟み部材２,支点部３,挟持部４,脚部５,弾性付勢部６,滑り止め部材７,当て部材８,電気掃除機９等の形状,大きさ,個数,材料,材質等は用途に合わせて適宜選択できる。
【符号の説明】
【００２７】
１              挟み機具本体
２              挟み部材
３              支点部
４              挟持部
４１            内周縁
５              脚部
５Ｂ            帯板部分
５１            帯板面
５１１          基端縁
５３            基端面
６              弾性付勢部（カットリング）
７              滑り止め部材
９              電気掃除機
９１            掃除機本体
９２            接続部
９３            パイプ（吸引側パイプ）
９３０          吸込み口
Ｐ              スタンド（電気掃除機用スタンド）
ＧＬ            接地面（床面）
【図１】
2018117735.tif 000003
【図２】
2018117735.tif 000004
【図３】
2018117735.tif 000005
【図４】
2018117735.tif 000006
【図５】
2018117735.tif 000007
【図６】
2018117735.tif 000008
【図７】
2018117735.tif 000009
【図８】
2018117735.tif 000010
【図９】
2018117735.tif 000011
【図１０】
2018117735.tif 000012